(57)【要約】      （修正有）【課題】単体の平面絵図によって立体的に表現形成される立体模様絵図を提供する。【解決手段】単体の平面絵図１に対し関連性を有した複数枚の透明薄板による平面部分絵図２を、間隔部材３を介し適宜間隔開け組付け部材４によって積層組付けを行うことにより立体模様絵図５として表現形成させた積層立体絵図の構成とする。【選択図】図１
0003117895.tif 000002
【実用新案登録請求の範囲】
【請求項１】
単体の平面絵図（１）に対し関連性を有した複数枚の透明薄板による平面部分絵図（２）を、間隔部材（３）を介し適宜間隔開け組付け部材（４）によって積層組付けを行うことにより立体模様絵図（５）として表現形成させることを特徴とした積層立体絵図。
【考案の詳細な説明】
【技術分野】
【０００１】  この考案は、平面絵図による積層立体絵図に関し、単体の平面絵図に対し関連性を有した複数枚の透明薄板による平面部分絵図を各別に適宜間隔開けて組付けすることにより立体模様絵図を表現形成するもの等の分野に属する。
【背景技術】
【０００２】  従来では、雑誌やグリーティングカード等を開くことにより、人形や花木等の物体を立体的に立ち上げる飛び出し状態の平面絵図を表現形成させるもの等が開示されている。
【考案の開示】
【考案が解決しようとする課題】
【０００３】  しかし、このような飛び出し状態を表現形成する平面絵図では、これら平面絵図によって立体的に表現形成される立体模様絵図を観賞することはでき難いものであった。【０００４】  このため、本考案では、単体の平面絵図によって立体的に表現形成される立体模様絵図を提供しようとするものである。
【課題を解決するための手段】
【０００５】  請求項１の考案は、単体の平面絵図（１）に対し関連性を有した複数枚の透明薄板による平面部分絵図（２）を、間隔部材（３）を介し適宜間隔開け組付け部材（４）によって積層組付けを行うことにより立体模様絵図（５）として表現形成させることを特徴とした積層立体絵図の構成とする。【０００６】  このような構成により、単体で適宜大きさの平面絵図（１）を基盤として、この平面絵図（１）を立体的に表現形成させることが可能な関連性を有した複数枚の透明薄板による平面部分絵図（２）を、適宜位置において間隔部材（３）を介在させ適宜間隔開け順次積層状に重ねてネジ等の組付け部材（４）によって組付けを行い、基盤としての平面絵図（１）と複数枚の平面部分絵図（２）とにより視覚的に立体模様絵図（５）として表現形成させることができる。
【考案の効果】
【０００７】  請求項１の考案では、上記作用の如く、単体の平面絵図（１）を基盤として、この平面絵図（１）に、複数枚の透明薄板による平面部分絵図（２）を間隔部材（３）と組付け部材（４）により組付けを行うことにより、単純な平面絵図（１）に関連性を有する複数枚の平面部分絵図（２）を積層状に組付けするという簡単な手法によって、視覚的に立体模様絵図（５）として表現形成させた積層立体絵図を観賞することができるから、個人としての趣味や各種の装飾用として、また、平面絵図（１）に対する平面部分絵図（２）の枚数の変更や組替え等による幼児や子供向けの教育用、並びに老年者向けのリハビリ用等として有効利用することができる。
【考案を実施するための最良の形態】
【０００８】  単体で適宜大きさの平面絵図１を基盤として、この平面絵図１に関連性を有した複数枚の透明薄板による平面部分絵図２を、間隔部材３を介在させて順次積層状に重ね組付け部材４により組付けを行い、基盤としての平面絵図１と複数枚の平面部分絵図２とにより視覚的に立体模様絵図５として表現形成させる。【０００９】  以下に、この考案の実施例を図面に基づいて説明する。
図１は、組付けした立体模様絵図５の完成状態をを示しているものであり、最後面部に基盤となる適宜大きさで、例えば、列車等の全体を描いた平面絵図１を配置すると共に、この平面絵図１の前面部に、順次同形で平面絵図１を立体的に表現形成させることが可能な関連性を有した四枚の列車等の部分を描いた各平面部分絵図２（ａ，ｂ，ｃ，ｄ）を、適宜の間隔を保持する間隔部材３を介して積層状に重ね、各絵図の四隅の適宜位置を貫通させる位置決めネジ４ａと締付けネジ４ｂによる組付け部材４により組付け構成させる。なお、平面部分絵図２の枚数は四枚に限定されることなく自由に増減が可能である。【００１０】  図２は、立体模様絵図５の組付け状態を示しているものであり、先ず、組付け部材４の四本の位置決めネジ４ａに列車等の全体を描いた平面絵図１を挿通配置し、次に、各々四個の間隔部材３を挿通し、次に、列車等の全体はそのままで背景の景色を一部消去している平面部分絵図２ａを挿通配置させ、次々に、このようにして各々列車等の半分を描いた平面部分絵図２ｂと、列車等の前部だけを描いた平面部分絵図２ｃと、景色の一部だけを描いた平面部分絵図２ｄとを間隔部材３を挿通して、最後に組付け部材４の四本の締付けネジ４ｂを位置決めネジ４ａに締付けて組付けが完了するよう構成させる。【００１１】  該立体模様絵図５を構成する部材として、図３に示す如く、台紙ａに貼着した適宜幅のシールｓを部分的に切断した状態のものを各々六等分に分割可能なるよう点止めｖを行い、この六等分したシールｓのうち五面に印刷した平面絵図１と平面部分絵図２ａ，２ｂ，２ｃ，２ｄの各五枚を台紙ａから各々点止めｖにより分離して剥離可能に形成させる。
なお、一枚余った白紙部ｘはシールｓを連続成形させるために生じる不要部分であり、余白が生じないよう枚数を設定するようにしてもよい。【００１２】  また、図４に示す如く、適宜大きさのアクリル等の樹脂による五枚の透明薄板ｐにおいて、この透明薄板ｐの四隅の適宜位置に組付け部材４の位置決めネジ４ａを挿通可能とする孔ｈを各々設けると共に、この各透明薄板ｐに台紙ａから剥離したシールｓによる平面絵図１と各平面部分絵図２ａ，２ｂ，２ｃ，２ｄとを各々貼着して形成させる。なお、平面絵図１については基盤として非透明板を用いる場合もあり、必ずしも透明薄板ｐを用いずとも差し支えないものである。【００１３】  また、図５に示す如く、組付け部材４としての四本の位置決めネジ４ａと締付けネジ４ｂ、及び十六個の間隔部材３を設定する。【００１４】  該立体模様絵図５をキットとして組付け作業を行うときは、その手順として、先ず、台紙ａからシールｓを剥離し、この剥離したシールｓを分離して各透明薄板ｐに貼着し平面絵図１と各平面部分絵図２ａ，２ｂ，２ｃ，２ｄを各々作成する。次に、この作成した基盤としての平面絵図１に各々四本の位置決めネジ４ａを挿通すると共に、この四本の位置決めネジ４ａをガイドとして各平面部分絵図２ａ，２ｂ，２ｃ，２ｄを順次間隔部材３を介在させて重ね、最後に締付けネジ４ｂを用いて締付けることにより組付けを完了させることができる。【００１５】  なお、本実施例では列車等による立体模様絵図５を例示したが、列車等以外においても多数の各種シールｓを作成することにより幅広い立体模様絵図５の組付けが可能である。
【図面の簡単な説明】
【００１６】
【図１】平面及び平面部分絵図による立体模様絵図の組付け完成状態を示す斜視図。
【図２】平面及び平面部分絵図により立体模様絵図を組付けする状態を示す斜視図。
【図３】分割したシールへ平面及び平面部分絵図を各々印刷した状態を示す斜視図。
【図４】四隅の適宜位置に位置決めネジの孔を設けた透明薄板の状態を示す斜視図。
【図５】四本の位置決めネジ・締付けネジと十六個の間隔部材の状態を示す斜視図。
【符号の説明】
【００１７】    １．平面絵図
２．平面部分絵図
３．間隔部材
４．組付け部材
５．立体模様絵図
【図１】
0003117895.tif 000003
【図２】
0003117895.tif 000004
【図３】
0003117895.tif 000005
【図４】
0003117895.tif 000006
【図５】
0003117895.tif 000007